(57)【要約】【課題】パチンコ遊技機において、遊技機本体に付設される各種制御基板の制御動作に異常が発生したときに速やかに発見し復帰作業に入ることができ、しかもその復帰動作が不正に操作されることのないようにすること。【解決手段】遊技機１０の遊技内容の中枢的制御をなす主制御基板９１からの指令により賞品球払出機構部８０の賞品球払出動作を制御する賞品球払出制御基板８８が遊技機本体の裏面側に取り付けられると共に、その賞品球払出制御基板８８にはその制御に関わる動作異常が発生した場合にその旨を表示するエラー表示部９３と、このエラー表示部９３を初期状態に復帰リセットさせるエラー表示リセットボタン９４とを備え、これらのエラー表示部９３及びエラー表示リセットボタン９４は賞品球払出制御が収納される基板ボックスの収納壁で囲まれた凹窪みＣ内に収容されている。【選択図】図５
2005279314.tif 000002
【特許請求の範囲】
【請求項１】
遊技盤面で発生したセーフ球を検出して入賞の種別に対応して所定個数の賞品球の払出しの指令を出力する主制御基板と、
遊技機本体の裏面側に取り付けられ、前記主制御基板からの指令により前記賞品球払出機構部の賞品球払出動作を制御する賞品球払出制御基板と、
該賞品球払出制御基板に設けられ、その制御に関わる動作異常が発生した場合にその旨を表示するエラー表示部と、
該エラー表示部を初期状態に復帰リセットさせるエラー表示リセットボタンと、を備え、
エラー表示リセットボタンは露出された状態で前記賞品球払出制御基板が収納される基板ボックスの収納壁で囲まれた凹窪み内に収容されることによりリセットボタンへの意に反する作用が実現されることを防止することを特徴とするパチンコ遊技機。
【発明の詳細な説明】
【技術分野】
【０００１】
本発明は、パチンコ遊技機に関し、さらに詳しくは、遊技機に付設される各種制御基板の制御動作に異常が発生したときにそれを表示し、あるいは復帰後リセットさせる機構に関するものである。
【背景技術】
【０００２】
パチンコ遊技機においては、ゲームの趣向を凝らすため近年ではいわゆるフィーバータイプのものが人気を集めている。このフィーバータイプの遊技機は、例えば、遊技盤面の特定の入賞口に遊技球が入る（この遊技球のことを以下「セーフ球」と略称する）と特別図柄表示装置の複数の図柄（数字や絵模様等）が変動し、停止時の図柄の組合せによって「大当り」と称されるように、しばらくの間その遊技盤面の大入賞口が何回か連続して開放され、その間多数の入賞が得られ遊技者に大量の賞品球が払出されるようになっている。
【０００３】
このようなパチンコ遊技機においては、各種の制御が有機的に関連性を持ってなされている。例えば、遊技盤面の特定の入賞口に遊技球が入った時の図柄表示装置の駆動制御、賞品球払出機構部からの賞品球の払出制御、遊技盤面の各種ランプの遊技状態に応じた点滅動作制御等々である。
【０００４】
そこで遊技機本体の裏面側や遊技機本体を構成する筐体内部（遊技盤の裏面）等には数多くの制御基板が取付けられている。そしてこれらの各種の制御基板からの指令信号により遊技機の図柄表示装置の駆動制御や賞球の払出操作等が円滑に行われて遊技者が快適に遊技を楽しむことができる。
【０００５】
【特許文献１】特開平５−３０５１７３号公報
【特許文献２】特開平５−２７７２５１号公報
【特許文献３】特開平２−１２８７７８号公報
【特許文献４】特開平３−３９１８３号公報
【発明の開示】
【発明が解決しようとする課題】
【０００６】
しかしながら、このように多くの制御基板を有するパチンコ遊技機においては、それらの制御基板が正常に動作している時は問題ないが、一部の制御基板に異常が発生した時、どの基板に異常が発生したのかわからないと、修復作業に手間取ることになる。
【０００７】
また、異常が発生しているにも拘わらず、それが知らされないと、遊技（ゲーム）内容の誤作動により、あるいは賞品球の払い出し個数のバラツキ等により遊技者あるいは遊戯ホール側に不測の不利益を蒙らせることになる。
【０００８】
特に遊技内容の中枢的制御をなす主制御基板からの指令により賞品球払出機構部の賞品球払出動作を制御する賞品球払出制御基板の動作異常が発生した場合にそれに気付かず遊技が進められると、遊技者に多量の遊技球が流出されたり、あるいは逆にフィーバー状態において多量の賞品球が払出されるべきところを賞品球の払出し動作がストップされて遊技者と遊戯ホール側との間でトラブルが発生することにもなる。
【０００９】
一方、遊技機本体内には遊技盤面の各入賞口に入ったセーフ球や遊技者に払出される賞品球払出しのための賞球など数多くの遊技球が引切り無しに流れている。これらの遊技球は通常静電気を帯びており、特に賞品球払出機構部より払出される賞品球の静電気によるノイズ障害によってその賞品球払出機構部からの賞品球の払出動作を制御する賞品球払出制御基板が誤動作すれば、遊技者への正確な賞品球の払出し操作が損なわれることになる。
【００１０】
本発明の解決しようとする課題は、遊技機本体に付設される数多くの制御基板の制御動作に異常が発生したときに、それを速やかに発見して遊技内容を早く正常化させ、遊技者あるいは遊戯ホール側に不利益を蒙らせないようにすると同時に、その異常復帰動作を不用意に操作されて気付かないうちに多量の賞品球が払出されてしまうといったことを回避することにある。またこの場合に特に遊技者の利害の大きい賞品球払出機構部より払出される賞品球の払出動作を遊技球の静電気によるノイズ障害等によって誤作動なく制御されるようにしたパチンコ遊技機を提供することにある。
【課題を解決するための手段】
【００１１】
この課題を解決するために本発明の請求項１に記載のパチンコ遊技機は、遊技盤面で発生したセーフ球を検出して入賞の種別に対応して所定個数の賞品球の払出しの指令を出力する主制御基板と、遊技機本体の裏面側に取り付けられ、前記主制御基板からの指令により前記賞品球払出機構部の賞品球払出動作を制御する賞品球払出制御基板と、該賞品球払出制御基板に設けられ、その制御に関わる動作異常が発生した場合にその旨を表示するエラー表示部と、該エラー表示部を初期状態に復帰リセットさせるエラー表示リセットボタンと、を備え、エラー表示リセットボタンは露出された状態で前記賞品球払出制御基板が収納される基板ボックスの収納壁で囲まれた凹窪み内に収容されることによりリセットボタンへの意に反する作用が実現されることを防止することを要旨とするものである。
【００１２】
上記構成を有するパチンコ遊技機によれば、遊技内容の中枢的制御を行う主制御基板からの指令により賞品球払出機構部の賞品球払出動作が制御され、遊技者に所定個数の賞品球が払出されるが、この賞品球払出機構部の賞品球払出を制御する賞品球払出制御基板にその制御に関わる動作異常が発生した場合その旨がエラー表示部に表示され、エラー復帰後にエラー表示リセットボタンを押せば、そのエラー表示部のエラー表示は初期状態に復帰リセットされる。その時にこれらのエラー表示部及びエラー表示リセットボタンは賞品球払出制御基板が収納される基板ボックスの収納壁で囲まれた凹窪み内に収容されているので、遊戯ホール側の復帰作業中に気付かないうちに遊技者によって不正にエラー表示リセットボタンが押され、復帰操作がなされて多量の賞品球が遊技者に払出されてしまうといったことが回避される。
【００１３】
この場合に前記主制御基板は遊技機本体裏面の前記賞品球払出機構部より離れた位置に取り付けられ、前記賞品球払出制御基板はその賞品球払出機構部より離れた、かつ前記主制御基板に近接した位置に取り付けられていることが望ましい。
【００１４】
これにより賞品球払出機構部より払出される賞品球が静電気を帯びていても、その静電気を帯びた賞品球からのノイズによって賞品球払出制御基板が誤作動するようなことはなく、賞品球払出動作に支障を来たすことが回避される。またこの場合に賞品球払出制御基板は主制御基板に近接して配置されるものであるから、賞品球払出制御基板と主制御基板を始めとする各種の制御基板との間の電気接続も短かくて円滑になされる。
【発明の効果】
【００１５】
本発明のパチンコ遊技機によれば、遊技内容の中枢的制御を行う主制御基板からの指令により賞品球を払出する賞品球払出機構部の賞品球払出制御基板に制御異常が発生した場合にそのエラー表示がなされ、リセットボタンの操作により復帰リセットされるものであるから、復帰作業の迅速性が担保されることはもとより、そのエラー表示部やエラー表示リセットボタンは賞品球払出制御基板の収納ボックスに形成される凹窪み内に収容されているので、遊戯ホール側が気付かないうちに遊技者によって不正にエラー表示リセットボタンが押され、復帰操作がなされて多量の賞品球が遊技者に払出されてしまうといったことも回避される。
【００１６】
またこの場合に、主制御基板が遊技機本体裏面の前記賞品球払出機構部より離れた位置に取り付けられ、前記賞品球払出制御基板が賞品球払出機構部より離れた、かつ主制御基板に近接した位置に取り付けられておれば、賞品球払出機構部より払出される賞品球が静電気を帯びていても、その賞品球払出機構部での賞品球払出動作を制御する賞品球払出制御基板をその賞品球払出機構部から遠ざけることにより賞品球の静電気によるノイズ障害が避けられ、安定した賞品球払出動作が行われるし、また、この賞品球払出制御基板は互いに電気接続される主制御基板に近接して配置されることにより主制御基板を始めとする各種制御基板との電気接続の円滑化も図られ、しかも万一賞品球払出制御に異常があったときのメンテナンスが容易であって、迅速な対応が取れる利点がある。
【発明を実施するための最良の形態】
【００１７】
以下、本発明の好適な一実施の形態を図面を参照して詳細に説明する。
図１は、本実施形態におけるパチンコ遊技機の正面図、図２はその外観斜視図を示したものである。パチンコ遊技機１０は、パチンコ機本体枠部を構成する外枠１１と、パチンコ機前面部のベースとなる内枠１２とを備え、その内枠１２の額縁状に形成された開口内周縁には金枠１３が嵌められると共に、その金枠１３には遊技盤１４の前面を覆うガラス扉１５が開閉可能に設けられる。
【００１８】
ガラス扉１５の下方位置には、打球発射装置に供給される遊技球を貯留するための受け皿（上受け皿）１６が取り付けられ、更にその下方には、賞品球の排出時に上受け皿１６から溢れた球を貯留するための球受け皿（下受け皿）１７が設けられている。尚、上受け皿１６に設けられる球抜きボタン１８の操作により上受け皿１６内の遊技球が下受け皿１７に向けて抜き落とされる。
【００１９】
下受け皿１７の図中右側位置には、遊技球を遊技盤１４面に向けて弾発発射する発射レバー２０が設けられ、この発射レバー２０には遊技球を一球づつ発射する為の単発スイッチ２１が備えられる。発射レバー２０の回動操作する量に応じて遊技球を遊技盤１４面に向けて弾発発射する程度が調整されるとともに、所定回動位置の検出により発射電源が投入されるようになっている。
【００２０】
前記内枠１２の上辺縁から図１中右側辺縁には、合成樹脂製のレンズ体で構成される枠トップ飾り２３が設けられ、この枠トップ飾り２３の内部には、枠飾りランプ２４，２４…や前記ガラス扉１５開閉用の鍵穴２５の周囲を飾る鍵飾りランプ２６が設けられている。
【００２１】
パチンコ遊技機１０の一側には、プリペイドカードによる玉貸機（以下、「プリペイドカードユニット」と称する）３０が設置される。このプリペイドカードユニット３０は、１台の遊技機に１台づつ設置される。このプリペイドカードユニット３０の設置に対応してパチンコ遊技機１０の上受け皿１６には、プリペイドカードによる遊技球の貸出し操作を行う為の球貸し操作部３１が設けられ、この球貸し操作部３１には、プリペイドカードによる球貸出しを操作する球貸出しボタン３２、その球貸出しの可能状態を示す球貸出しボタンランプ３３、プリペイドカードを排出させるカード返却ボタン３４、プリペイドカードの残高表示、及びエラー表示を行う度数表示部３５等が備えられている。
【００２２】
プリペイドカードの使用に際しては、プリペイドカードユニット３０に備えられるカード利用可表示ランプ３６の点灯中にカード挿入口３７にプリペイドカードを挿入し、金額設定ボタン３８を操作することにより、貸出し金額（１００円、２００円、３００円、５００円等）を選択することができる。前記上受け皿１６に備えられる球貸し操作部３１の球貸出しボタン３２を操作することにより、予め選択された金額の遊技球が貸出されることになる。
【００２３】
前記内枠１２の前面に設けられる遊技盤１４は、遊技板に装着された金属製の内レール４１、打球槌により打球発射位置より弾発発射された遊技球を盤面に向けて誘導する為の外レール４２、打球位置及び発射レールより転動し遊技盤面に至った球の跳ね返り作用により再び打球が発射レールや打球位置に戻ることを防止するファール止４３、打球位置より転動してきた過大な飛送力を有する球を遊技板右上部において衝撃を吸収しつつ停止阻止し遊技盤面を下方に向けて落下させる返しゴム４８等によりその周囲が構成され、その内側に遊技領域が形成される。
【００２４】
図３は、その遊技盤面を拡大して示したものである。遊技盤１４の遊技領域の中央やや上方には特別図柄表示装置５０が設けられ、その中央部に３つの特別図柄表示部（図中左から順に左図柄表示部５０Ａ、中図柄表示部５０Ｂ、右図柄表示部５０Ｃが設けられる。各図柄表示部５０Ａ、５０Ｂ、５０Ｃは、夫々「１、２、３、４、５、６、７、８、９」までの数字と、「法師、鬼、車、姫、小槌」の各図柄の計１４種類の表示によって構成される。
【００２５】
特別図柄表示装置５０の真下位置には第１種始動入賞口５１が設けられ、更にその下方位置に第１種特別電動役物５２及び普通電動役物（第１種始動入賞口）５３が設けられる。第１種特別電動役物５２は、通常は閉じている大入賞口５４と、その大入賞口５４が開放されたときに遊技球の入賞が可能な特定入賞口５５とを備える。また普通電動役物５３も通常は閉じており、後述する普通図柄表示装置の表示記号によって開閉動作されるようになっている。
【００２６】
遊技球発射装置により遊技盤１４面に発射された遊技球が第１種始動入賞口５１又は普通電動役物（第１種始動入賞口）５３に入賞すると、特別図柄表示装置５０の特別図柄が左図柄５０Ａ、中図柄５０Ｂ、右図柄５０Ｃの順で変動を開始する。その速度は遊技者がそれらの表示の変化を目で追えない程度に速いものである。そして所定時間経過後、左図柄５０Ａ、中図柄５０Ｂ、右図柄５０Ｃの順で変動停止される。そのときに変動停止した時の各図柄５０Ａ、５０Ｂ、５０Ｃの組合せが、全て一致した時には、いわゆる「大当り」と称せられる特別遊技状態が得られ、条件装置が作動する。
【００２７】
条件装置が作動すると第１種特別電動役物５２が作動し、大入賞口５４が約２５.０ 秒間開放される。その大入賞口５４の開放中及び第１種特別電動役物５２の作動終了から約２.０ 秒以内に、遊技球が特定入賞口５５を通過すると役物連続作動装置が作動し、その第１種特別電動役物５２の開放動作終了後、再びその第１種特別電動役物５２が作動して大入賞口５４が開放される。この大入賞口５４が開放される都度その大入賞口５４に遊技球が１０個入賞した時は、開放動作時間中であってもその大入賞口５４はいったん閉じられ、所定の短いインターバル時間（例えば、３〜４秒）経過後、次の開放動作へ移行する。
【００２８】
この「大当り」の遊技状態における第１種特別電動役物５２の連続開閉作動は最高１６回まで繰り返される。但し、大入賞口５４が開放動作中及び第１種特別電動役物５２の作動終了から約２.０ 秒以内に、遊技球が特定入賞口５５を通過しなかった場合、その大入賞口５４の開放動作の終了後、新たにその大入賞口５４が開放されることはなく、これにより「大当り」の遊技状態は終了する。
【００２９】
尚、第１種始動入賞口５１及び普通電動役物（第１種始動入賞口）５３の入賞球の個数は４個まで記憶され、その個数分特別図柄表示装置５０の左右に設けられる特別図柄用記憶表示ＬＥＤ５６ａ〜５６ｄが点灯する。特別図柄表示装置５０の図柄５０Ａ、５０Ｂ、５０Ｃの組合せがこの特別図柄表示用ＬＥＤが点灯し始動入賞の記憶ある間は、その記憶表示ＬＥＤ５６ａ〜５６ｄに表示される個数分の図柄変動停止が繰り返される。
【００３０】
特別図柄表示装置５０の真上位置には７セグメントのデジタル表示による普通図柄表示装置６０が設けられる。この普通図柄表示装置６０の図柄は、「Ａ、ｂ、Ｃ、ｄ、Ｅ、−」の６種類によって表示される。この普通図柄表示装置６０の図柄は、遊技盤１４面の特別図柄表示装置５０の左右両側に遊技球が通過可能なゲート６１ａ、６１ｂが備えられ、遊技球がこのゲート６１ａ、６１ｂを通過すると変動を開始する。普通図柄表示装置６０には、通常モードと変動時間短縮モードの２種類の状態があり、普通図柄は変動を開始してから通常モード時は約２９.０ 秒、変動時間短縮モード時は約５.０ 秒経過すると変動停止する。
【００３１】
そして変動停止した普通図柄が「Ａ、ｂ，Ｃ，ｄ，Ｅ」のいずれかの時、前記普通電動役物（第１種始動入賞口）５３が通常モード時は約０.３ 秒、変動時間短縮モード時は約０.８ 秒間の開放動作を行う。その間に普通電動役物（第１種始動入賞口）５３に遊技球が入賞すれば、その入賞個数分だけ前述の特別図柄表示装置５０の特別図柄の変動開始回数が増えることになる。普通図柄が「−」で停止した場合は、普通電動役物（第１種始動入賞口）５３は開放動作を行われない。
【００３２】
尚、ゲート６１ａ、６１ｂを通過した遊技球の個数は４個まで記憶され、その個数分普通図柄表示装置６０の隣に設けられる普通図柄用記憶表示ＬＥＤ６２ａ〜６２ｄが点灯する。そしてその記憶表示ＬＥＤ６２ａ〜６２ｄが点灯した個数分、その普通図柄の変動停止が繰り返される。変動時間短縮モード時において記憶による変動開始が行われているときは、変動時間が更に短縮され、約１.０ 秒以上が経過した時点で変動停止される。
【００３３】
特別図柄表示装置５０の最上部には天入賞口６４が設けられており、その左右両側には左袖入賞口６５ａ及び右袖入賞口６５ｂが設けられ、又、前記第１種特別電動役物５２の左右両側には左落し入賞口６６ａ及び右落し入賞口６６ｂが設けられている。更に遊技盤１４面には、打球槌により弾発発射された遊技球の落下してくる方向を無作為に変更させたり、打球の流下速度及び方向を変化させる風車６７、６７や障害釘６８、６８…、あるいは遊技の演出効果を高めるためある一定の契機により点灯（点滅）を行うランプ風車６９、６９、サイドランプ７０、７０等が設けられている。そして遊技盤１４の最下部には、何れの入賞口にも入賞しなかった遊技球（アウト球）を回収し、集合処理するアウト口７１が設けられている。
【００３４】
発射された遊技球が、遊技盤１４面に設けられた各入賞口のうち、天入賞口６４、左袖入賞口６５ａ、右袖入賞口６５ｂ、第１種始動入賞口５１、普通電動役物（第１種始動入賞口）５３に入賞すると５個、左落し入賞口６６ａ及び右落し入賞口６６ｂに入賞すると１０個、大入賞口５４及び特定入賞口５５に入賞すると１５個の賞品球が払出される。
【００３５】
尚、遊技盤１４の遊技領域の外側には、入賞の発生により払い出される賞球数を表示する賞球数表示部７２、賞球の払出し動作時に点灯（点滅）表示駆動される球払出しＬＥＤ７３、タンクやタンクレール上の遊技球が所定量以下になったとき点灯（点滅）し、その旨表示する球切れＬＥＤ７４等が設けられる。
【００３６】
図４は、パチンコ遊技機の裏面図、図５はその外観斜視図である。パチンコ遊技機１０の裏面に設けられる機構板７６面の上方位置に、遊技場の島から供給される遊技球を一時貯留する賞球タンク７７が設けられると共に、その賞球タンク７７にタンクレール７８が連設され、このタンクレール７８の賞品球流下下端部分に同じく機構板７６面に取り付けられた状態で賞品球払出機構部８０が連設されている。
【００３７】
このタンクレール７８には、前記賞球タンク７７やタンクレール７８上の遊技球の補給状態により作動される補給スイッチ８１が設けられ、又、賞品球払出機構部８０の直前において賞球の欠乏を検出し払出し機構の空動作を防止する為の空切り防止スイッチ８２が設けられている。さらに賞品球払出機構部より払出された賞品球がパチンコ遊技機内で充満した場合にこれを検出する満タンスイッチ８３あるいは遊技機枠内に充満した遊技球により係動され満タンスイッチ８３を押動する満タンストッパ８４等も備えられている。
【００３８】
また機構板７６には遊技盤１４面の各入賞口に入った入賞球（セーフ球）を一球ずつ球切りして検出するセーフ球検出スイッチ１４２がセーフ球排出機構部８５に設けられ、このセーフ球排出機構部８５に検出されたセーフ球はこの後遊技機の外へ排出されるようになっている。また、遊技板の裏面は中央カバー８６により覆われており、各入賞口に入ったセーフ球はこの中央カバー８６が覆設されるセーフ球誘導路１１２で集められて上述のセーフ球排出機構部８５へ導出されるようになっている。
【００３９】
そして各種の制御基板がこの機構板７６には取付けられている。例えば、プリペイドカードに係わる情報をパチンコ遊技機１０の外部において処理するプリペイドカードユニット３０と遊技機本体とを電気的に接続するＣＲ外部接続端子基板８７を含む外部接続端子９７、発生したセーフ球の種別に応じて所定個数の賞品球を前記賞品球払出機構部８０に払出し動作させる回路が装着されたＣＲ賞球払出制御基板８８、該ＣＲ賞球払出制御基板８８とプリペイドカードユニット３０及び球貸し操作基板、度数表示基板（図２の球貸し操作部３１に収容されている）との間に設けられ、プリペイドカードユニット３０に挿入されたプリペイドカードの情報と、パチンコ遊技機１０の前面に設けられた球貸し操作部３１への球貸し要求信号と球貸し状態を表示する度数表示情報と、球貸し情報に基づいてＣＲ賞球払出制御部を司令制御する情報との授受を行うカードインターフェイス基板８９が設けられている。
【００４０】
また前記ＣＲ外部接続端子基板８７、カードインターフェイス基板８９、ＣＲ賞球払出制御基板８８相互間においてカードデータ処理に係わる信号を中継するＣＲ中継基板９０、パチンコ遊技機１０の遊技盤１４面で発生したセーフ球を検出して特別図柄表示装置５０を駆動制御し、その特別図柄の表示態様を設定切り替え制御し、入賞の種別に対応して所定個数の賞品球の払出し等を行う主制御基板９１等がこの機構板７６に取付けられている。そしてこれら独立してそれぞれ組み付けられた各種基板がパチンコ遊技機に組み付けられた後、コネクタ配線により互いに脱着可能に電気接続されている。パチンコ遊技機１０の外部のプリペイドカードユニット３０と遊技機本体との間の情報の入出力は、カードインターフェイス接続部９２を介して行われる。
【００４１】
前記ＣＲ賞球払出制御基板８８は、賞球の不足欠乏、及び供給状態、排出状態の異常を検出し、払出し動作の停止と、表示動作も合わせて行われるもので、ここにはＣＲ賞球払出制御基板８８や賞品球払出機構部８０等の賞品球払出制御機構において遊技球の不足、球詰まり、回路操作異常、ソフトエラー等の異常が発生した場合にその旨を表示するエラー表示部９３、あるいはエラー状態が解除された場合に前記エラー表示部９３を初期状態に復帰リセットさせるエラー表示リセットボタン９４が設けられている。このエラー表示部９３あるいはエラー表示リセットボタン９４は壁に囲まれた窪みＣ内に収容されリセットボタンへの意に反する作用が実現されないようにされている。この様に、パチンコ機の制御回路基板や中継基板に付設される操作部に操作部防護用窪み（若しくは防護用の立て壁）を設けて、パチンコ機制御回路の誤作動を排除すると一層正確かつ確実なパチンコ機の制御動作が維持できる効果を生じる。
【００４２】
また前記主制御基板９１には、特定図柄表示装置５０に於いて発生する当たりの出現状態（確率）を３個のＬＥＤにて表示する設定表示ＬＥＤ９５、あるいは前記当たりの出現確率を所定条件下のみ切替え可能に設定する為の確率モード設定スイッチ９６が設けられている。
【００４３】
パチンコ遊技機１０で発生した各種情報は機構板７６の上部片隅に設けられる外部接続端子９７を介して遊技機外部の遊技場管理装置へ出力される。特別図柄表示装置５０の図柄若しくは入賞装置の始動回数、所定図柄の確定により発生する大当たりの発生回数、遊技者に特別な利益状態を継続させる継続情報、当該パチンコ遊技機における当たりの出現確率、不正検出信号等の各種情報がこの外部接続端子９２を介して入出力されることになる。
【００４４】
更に機構板７６の裏面下方隅寄り位置には、前記上受け皿１６に供給された遊技球を遊技盤１４面に向けて弾発発射するための打球発射装置１００が備えられている。この打球発射装置１００は、打球発射モータ１０１のほか、発射装置制御回路、打球槌、弾発力調整手段等により構成される。タッチ感度調整ボリューム１０２は、遊技者の打球発射操作ハンドルへの接触を検出して打球発射モータ１０１の電源を投入するタッチスイッチ回路の検出感度を調整する為に設けられ、又、遊技球発射調整ダイヤル１０３は、遊技盤１４面へ向けての遊技球弾発力、飛走距離をパチンコ遊技機の裏面側で調整設定する為に設けられている。
【００４５】
打球発射装置１００に近接して発射装置制御基板１０４が設けられ、これには打球発射モータ１０１の駆動制御回路及びタッチスイッチ回路が含まれている。打球発射モータ１０１の駆動制御回路では、モータの回転速度、トルク、特に１分間に発射する打球間隔、速度等が設定されている。
【００４６】
そしてこの図４より判るように、前記ＣＲ賞球払出制御基板８８は、前記主制御基板９１と打球発射装置制御基板１０４との間に位置して機構板７６の裏面に設けられる。また前記賞品球払出機構部８０は遊技機裏面の図中右サイドに設けられているが、この賞球払出制御基板８８は図中左サイドに設けられている。すなわちこのＣＲ賞球払出制御基板８８の取付位置は、前記賞球払出機構部８０より離れている。
【００４７】
ＣＲ賞球払出制御基板８８を主制御基板９１や打球発射装置制御基板１０４と同じように機構板７６の裏面に設けることにより、遊技機本体の厚みを薄くでき、遊技機全体が嵩ばることが回避される。またＣＲ賞球払出制御基板８８は賞品球払出機構部８０における賞品球の払出動作を制御するものであるから、これを賞品球払出機構部８０に近接して配置すると、賞品球払出機構部８０から払出される賞球は静電気が帯電しているためその静電気によるノイズ障害によってＣＲ賞球払出制御基板８８の信号動作に狂いが生じるおそれがあるが、このようにＣＲ賞球払出制御基板８８を賞品球払出機構部８０より離れた位置に配置することにより賞球払出機構部８０における賞球からのノイズ障害による影響が回避され、安定した信号の送受信が行われることになる。
【００４８】
そして賞球払出機構部８０の賞球払出制御に異常が発生したときには、前記エラー表示部９３にエラー表示がなされるのでその賞球払出制御に異常が発生したことが容易にわかる。また賞球払出制御の異常トラブルを解消したときは、エラー表示リセットボタン９４を押すことにより容易に元の状態に復帰させることができる。
【００４９】
尚、このパチンコ遊技機１０は電源プラグ１０６を介してＡＣ１００Ｖ電源に接続されている。また前記外部接続端子９７より引き出されたリード線１０７の端末には、コネクタ１０８ａが設けられ、ＡＣ２４Ｖ電源への接続のための電源プラグ１０９が装着される電源入力線１０５の他端末には前記コネクタ１０８ａに係脱自在に結合されるコネクタ１０８ｂが設けられる。そして電源入力線１０５の途中部位にはヒューズホルダ１１０が設けられ、このヒューズホルダ１１０にヒューズが交換可納に収納されている。
【００５０】
これによりパチンコ遊技機へのＡＣ２４Ｖ電源ラインへの接続及び遮断は、そのＡＣ２４Ｖ電源プラグ１０９若しくはコネクタ１０８ａ、１０８ｂのいずれか複数箇所で行なうことができる。またヒューズの溶断時にはコネクタ１０８ｂより電源プラグ１０９までの電源入力線１０５側全体を交換し、あるいはヒューズホルダ１１０のヒューズを交換することにより電源トラブルに対処でき、電気処理作業が円滑に行える。
【００５１】
図６は、遊技盤１４の裏面に設けられるセーフ球の流出経路を示したものである。図示されるように、普通電動役物（第１種始動入賞口）５３、天入賞口６４、左袖入賞口６５ａ、左落し入賞口６６ａに入賞したセーフ球は、傾斜板状のセーフ球集合路（セーフ球集合板）１１１上に落下し、その傾斜下端位置に設けられる、同じ傾斜板状のセーフ球誘導路（セーフ球誘導板）１１２を介して前述のセーフ球排出機構部８５へ誘導される。また第１種始動入賞口５１、大入賞口５４、特定入賞口５５、右袖入賞口６５ｂ、右落し入賞口６６ｂに入賞したセーフ球は直接セーフ球誘導路１１２上に落下し、セーフ球排出機構部８０へ誘導されるように構成されている。
【００５２】
一方遊技盤前面下方で発生したアウト球は、遊技盤１４にアウト球の導出口Ａを貫通状態で形成するとともに、この導出口Ａに連通状態で、遊技盤１４の裏面側において、アウト球を誘出する樋路Ｂを刻設して、機構板７６に対するアウト球の導出形態が簡略化されている。前記導出口Ａと樋路Ｂの遊技盤１４裏面側を覆う蓋部材を機構板７６のセーフ球集合路１１１、１１２の背面側に形成し、機構板７６と独立した蓋部材によりアウト球の導出口Ａ樋路Ｂの開放部を閉鎖しなくてもよく、パチンコ機機構部品点数の削除と、工程数の簡略化が図られている。また、前記樋路Ｂを遊技盤裏面側で傾斜状態に刻設し、遊技盤裏面下部においてアウト球の落下衝撃を吸収させるとともに、アウト口より隔離した位置へのアウト球の誘導を当該遊技盤裏面において行うよう構成されている。
【００５３】
前記第１種始動入賞口５１、及び普通電動役物（第１種始動入賞口）５３に入ったセーフ球の流出経路には、それぞれそれらの入賞を感知する第１種始動口用検出スイッチ１１３ａ、１１３ｂが設けられる。また前記大入賞口５４に入ったセーフ球の流出経路には、その大入賞口５４内への入賞球数を計数（カウント）するカウント用スイッチ１１４が設けられ、前記特定入賞口５５に入ったセーフ球の流出経路には、その特定入賞口５５にセーフ球が入ったことを感知する特定入賞検出用スイッチ１１５が設けられている。さらに前記ゲート６１ａ、６１ｂを通過する遊技球の通過経路には、遊技球がゲート６１ａ、６１ｂを通過したことを感知するゲート用スイッチ１１６ａ、１１６ｂがそれぞれ設けられている。  
【００５４】
そして前記第１種始動口用検出スイッチ１１３ａ、１１３ｂからの検出信号により前記第１種始動入賞口５１、５３に遊技球の入賞があったことが検知されると、前述したように特別図柄表示装置５０が駆動される。遊技盤１４の裏面には普通電動役物（第１種始動入賞口５３）を開閉動作させる普通電動役物用ソレノイド１１９や大入賞口６４を開閉動作させる大入賞口用ソレノイド１２０も設けられている。
【００５５】
一方、前記天入賞口６４及び左右袖入賞口６５ａ、６５ｂの各入賞口に入ったセーフ球の流路には５個払出用検出スイッチ１１７ａ、１１７ｂが設けられ、これらの検出スイッチ１１７ａ、１１７ｂからの検知信号に基づいて前述の賞品球払出機構部８０より所定個数（５個づつ）の賞球が払出される。また前記第１種始動入賞口５１、あるいは普通電動役物５３に設けられる前述の第１種始動用検出スイッチ１１３ａ、１１３ｂからの検出信号によっても同様に賞品球払出機構部８０より５個の賞品球が払出されるようになっている。
【００５６】
また前記大入賞口５４に設けられるカウント用スイッチ１１４、あるいは特定入賞口５５に設けられる特定入賞検出用スイッチ１１５からの検出信号があれば、賞品球払出機構部８０より１５個の賞品球が払出される。尚、前記左右落し入賞口６６ａ、６６ｂに入ったセーフ球の流路には入賞検出スイッチは設けられていないが、セーフ球払出機構部８５に設けられる後述のセーフ球検出スイッチによりトータルのセーフ球個数がカウントされるので、その個数差分だけ１０個づつの賞品球が払出されることになっている。
【００５７】
図７は賞品球払出機構及びセーフ球排出機構における遊技球の流路を示したものである。初めに賞品球払出機構について説明すると、前述したことと一部重複するが、タンクレール７８の球流路下端部に賞球払出樋１２１と球抜き樋１２２とが分岐して設けられ、賞球払出樋１２１の下流位置に前記賞品球払出機構部８０が設けられるものであり、その賞品球払出機構部８０の開放下端口１２３より流下した賞球はクッションローラ１２４を介して上面開口した箱型の賞球保留部１２５に一時的に保留され、通常は球出口１２６より上受け皿１６へ払出され、上受け皿１６が満杯になったときは賞球通路樋体１２８を介して下受け皿１７へ払出されるようになっている。
【００５８】
図８は、賞品球払出機構部８０の詳細を示した分解斜視図である。この賞品球払出機構部８０は、図８に示すように、機構部本体１３０に賞球モータ１３１が設けられ、そのモータ軸に取付けられるスクリュー回転体１３２が前記開放下端口１２３に臨設されている。また機構部本体１３０に取付けられるケース軸受１３３には賞球払出機構内の賞品球を１個ずつ検出するフォトセンサ１３４ａ、１３４ｂが設けられている。ケース軸受１３３にはケース軸受カバー１３５が被着される。
【００５９】
この賞品球払出機構部８０からの賞品球の払出しは、賞球モータ１３１の駆動によりスクリュー回転体１３２が回転駆動され、前述タンク７７及びタンクレール７８上の賞品球が賞球払出樋１２１を通って賞品球払出機構部８０へ導出され、スクリュー回転体１３２の回転に伴って所定数の球数の賞品球が開放下端口１２３より賞球保留部１２５へ払出されるようになっている。
【００６０】
一方セーフ球排出機構部８５は、図９に詳細な断面構造を示したが、機構板７６の右下部にユニット化され脱着可能に設けられた機構部本体１３７に前述のセーフ球誘導路１１２を介して誘導されてきたセーフ球を受け入れるセーフ球排出樋１３８がやはり合成樹脂の射出成型により一体的に形成されている。
【００６１】
そしてそのセーフ球排出樋１３８の途中に切欠開口部１３９が設けられ、その切欠開口部１３９には連続して流下するセーフ球の球切り作用をするテコ部材１４０が臨設される。そしてこのテコ部材１４０を間欠的に揺動作用するセーフ球排出ソレノイド１４１が連繋され、この排出ソレノイド１４１のプランジャの進退動により前記テコ部材１４０が回動軸を中心に揺動され、セーフ球排出樋１３８内に貯留されているセーフ球が１個づつ通過するようになっている。
【００６２】
セーフ球排出樋１３８のセーフ球流路にはセーフ球の通過を１個づつ検出するセーフ球検出スイッチ１４２が設けられ、その検出スイッチ１４２による検出信号は前述のＣＲ賞球払出制御基板８８へ送信される。そしてこの信号に基づいて前述の賞品球払出機構部８０より所定数の賞品球が払出されるものである。
【００６３】
図１０は、賞品球払出誘導構造を示した分解斜視図である。この図１０に示されるように、前述の賞球保留部１２５の一側壁に設けられる前述の賞球通路樋体１２８は、賞球保留部１２５よりオーバーフローする賞球を流下させる傾斜面１４４と、その傾斜下端に設けられる賞球通路１４５とにより構成され、例えば、フィーバーの状態となって賞品球払出機構部８０から連続して賞品球が賞球保留部１２５へ払出されたときに、その賞球保留部１２５が満杯となればその賞球保留部１２５よりオーバーフローする賞品球は、賞球通路樋体１２８の傾斜面１４４に沿って流出し、次いで賞球通路１４５を通って下受け皿１７へ払出されることになる。
【００６４】
図１１は前述の図３に示した遊技盤１４の裏面側に位置する筐体内部に設けられる各種制御基板の配置関係を示したものである。例えば、前述の特別図柄表示装置５０の特別図柄を変動表示させる特別図柄表示基板１５１、遊技盤１４面の第１種始動入賞口５１や普通電動役物５３に入賞があったときにこの特別図柄表示基板１５を駆動させる特別図柄制御基板１５２、前述の特別図柄用記憶表示ＬＥＤ５６ａ〜５６ｄを点灯させる特別図柄用記憶表示左基板１５３ａ及び右基板１５３ｂ、前述の普通図柄表示装置６０の普通図柄を変動表示させる普通図柄表示装置基板１５４が設けられる。
【００６５】
またゲート６１ａ、６１ｂを遊技球が通過したときにそのゲートＬＥＤを点灯させる左肩及び右肩ゲートＬＥＤ基板１５５ａ、１５５ｂ、サイドランプ７０、７０を点灯させるサイドランプ基板１５６、１５６、左袖及び右袖入賞口６５ａ、６５ｂに入賞があったときにそれらの入賞口のＬＥＤを点灯させる左袖及び右袖入賞口ランプ基板１５７ａ、１５７ｂ、前述の第１種特別電動役物５２の条件動作中に大入賞口５４を開閉動作させる大入賞口基板１５８、その大入賞口５４の開閉動作中にその左右ランプを点灯させる左右の大入賞口ランプ基板１５９ａ、１５９ｂ、並びに大入賞口の左右ＬＥＤを点灯させる大入賞口左ＬＥＤ基板１６０ａ及び右ＬＥＤ基板１６０ｂも設けられる。
【００６６】
さらに前述の枠トップ飾り２３内の枠飾りランプ２４等を点灯させる天飾りＬＥＤ基板１６１、ランプ風車６９を点灯させるランプ風車基板１６４、そしてこれらの各種基板と前述の主基板９１とを接続し該主基板９１からの指令を上記各種基板に伝達する中継基板１６２等がこの筐体内部には設けられている。尚、遊技盤面の筐体内部には、その他に遊技機前面のガラス扉１５が設けられる金枠１３がこじ開けられた場合などにこれを検出する金枠スイッチ１６３等も設けられる。
【００６７】
図１２は、上述した各種制御基板の電気的接続関係を示す制御ブロック図である。この制御ブロック図でもわかるように、特別図柄表示装置５０の特別図柄制御基板１５２は直接主基板９１に接続され、普通図柄表示装置６０の普通図柄表示装置基板１５４は中継基板１６２を介して主制御基板９１に接続されている。また特別図柄用記憶表示基板１５３ａ、１５３ｂ、ゲートＬＥＤ基板１５５ａ、１５５ｂ、サイドランプ基板１５６、袖入賞口ランプ基板１５７ａ、１５７ｂ、ランプ風車基板１６４、第１種始動口用スイッチ１１３ａ等も中継基板１６２を介して主制御基板９１に接続されている。
【００６８】
一方大入賞口ランプ基板１５９ａ，１５９ｂ、大入賞口ＬＥＤ基板１６０ａ、１６０ｂ、第１種始動口用スイッチ１１３ｂ、カウント用スイッチ１１４、特定領域入賞検出用スイッチ１１５、普通電動役物開放用ソレイド１１９、第入賞口開放用ソレノイド１２０等は大入賞口基板１５８に接続されており、この大入賞口１５８が中継基板１６２を介して主制御基板９１に接続されている。
【００６９】
更に主制御基板９１にはＣＲ外部接続端子基板８７やＣＲ賞球払出制御基板８８が接続され、ＣＲ賞球払出制御基板８８にはＣＲ中継基板９０を介して賞品球払出機構部８０の賞球モータ１３１やフォトセンサ１３４、空切り防止スイッチ８２等が接続される。またＣＲ賞球払出制御基板８８には満タンスイッチ８３、セーフ球排出ソレノイド１４１、セーフ球検出スイッチ１４２、金枠スイッチ１６３等が接続されるほか、発射装置制御基板１０４を介して遊技球発射装置１００の発射レバー２０、単発スイッチ２１、発射モータ１０１に接続され、更にこのＣＲ賞球払出制御基板８８にはカードインターフェース基板８９を介してプリペイドカードユニット３０に接続されるほか、前述の球貸し操作基板と度数表示基板に接続されている。
【００７０】
その他天飾りＬＥＤ基板１６１や各種の制御基板、更にスイッチ類等もこの制御回路内には設けられているが、図面に示すのみで説明は省略する。また、各制御基板間の電気信号の送受信関係や各種スイッチ類信号の入出力関係は矢印で示しており、重ねて説明することは割愛する。
【００７１】
次に図１３及び図１４は、前述の特別図柄表示装置５０及び普通図柄表示装置６０からなる図柄表示ユニットの裏面に各種制御基板が取付けられているので、その取付構造を説明するために示したものである。図１３は外観斜視図であり、図１４は断面図である。図示されるように、遊技盤１４の裏面に取付けられる取付基板１６５には表示カバー１６６がネジ１６７止めにより取付けられている。そして前記取付基板１６５の上面には天入賞口６４に入ったセーフ球の誘導樋１６８が一体的に設けられており、天入賞口６４より案内されたセーフ球はこのセーフ球誘導樋１６８を介してセーフ球集合路１１１上へ落下誘導されるようになっている。
【００７２】
一方前記表示カバー１６６により覆われる前記取付基板１６５面には、前記特別図柄表示装置５０の特別図柄５０Ａ、５０Ｂ、５０Ｃからなる液晶表示体であるＴＦＴ−ＬＣＤモジュール１６９、及びその液晶表示体のバックライト１７０が設けられている。また取付基板１６５にはブラケット１７１がネジ１７２止めにより設けられ、このブラッケット１７１に更に前記特別図柄表示基板１５１と特別図柄制御基板１５２とがネジ１７３止めにより前記取付基板１６５に対して積層方向に立体的に組付けられている。この時特別図柄表示基板１５１と前記ＴＦＴ−ＬＣＤモジュール１６９及びバックライト１７０とはケーブル１７４を介して接続され、また特別図柄表示基板１５１と特別図柄制御基板１５２とはコネクタ１７５を介して接続されている。
【００７３】
そして更に前記表示カバー１６６の外表面に前述の中継基板１６２がネジ１７６止めによりやはり前記特別図柄表示基板１５１や特別図柄制御基板１５２に対して積層方向に立体的に組付けられている。前記特別図柄制御基板１５２はフレームアレイタイプのコネクタ１７７を介して前述の主制御基板９１に接続され、中継基板１６２はピングリットアレイタイプのコネクタ１７８を介して前述の普通図柄表示装置基板１５４、大入賞口基板１５８、あるいは主制御基板９１に接続されている。
【００７４】
このように特別図柄表示装置５０を備えた図柄表示ユニットの裏面側に、特別図柄表示基板１５１と、特別図柄制御基板１５２と、中継基板１６２とを立体的に組付けた構成としたことにより、この図柄表示装置（特に特別図柄表示装置５０）と他の電気構成品との電気接続を円滑にすることができる。また遊技盤１４の裏面には数多くの制御基板を取付けることが必要とされるが、このようにいくつかの基板を立体的に組付ける構成とすることにより、基板占有面積を縮小することができる。
【００７５】
更に前述のように図柄表示ユニット裏面の取付基板１６５に天入賞口６４に入ったセーフ球の誘導路１６８が設けられることにより、図柄表示装置やその制御基板等が存在していてもセーフ球の回収経路が妨げられてセーフ球の回収に障害を来たすというようなこともなくなり、セーフ球の円滑な誘導が行われることとなる。
【００７６】
一方図１５は、遊技機本体の裏面に設けられる前述の主制御基板９１の取付構造を示したものである。図示されるように、前記遊技板の裏面には、天入賞口６４や左袖入賞口６５ａに入ったセーフ球をセーフ球集合板１１１上に落下集合させるための第１のセーフ球集合樋１８１と、第１種始動入賞口５１や右袖入賞口６５ｂに入ったセーフ球をセーフ球誘導板１１２上に落下集合させるための第２セーフ球集合樋１８２とが設けられ、両セーフ球集合樋１８１、１８２の間に位置して遊技板の中央には、第１種始動入賞口５１の大入賞口６４を遊技機の裏面から覗き視できるように覗き窓１８３が開設されている。
【００７７】
そして遊技盤裏面の第１及び第２のセーフ球集合樋１８１、１８２寄り位置に、前記主制御基板９１を取付けるための左右ブラケット１８４ａ、１８４ｂがピン１８５止めされ、この左右両ブラケット１８４ａ、１８４ｂに主制御基板９１のシャーシ部材１８６をピン１８７止めすることによりこの主制御基板９１は前記覗き窓１８３への覗き視を妨げないようにある一定の空間を設けて立体的に組付けられている。この主制御基板９１にはカバー部材１８８が被着され、封印証１８９により無断開封が禁止されている。尚、制御回路基板の収納ケースを封印する手段として、レーザーマーカーにより所定の印を形成する構成を取り、シール（封印証）の貼付、形成工程を迅速かつ簡単な作業としてもよい。またこのカバー部材１８８には確率モード設定スイッチ９６が設けれれていることは前述したとおりである。
【００７８】
このような構成により遊技板裏面の状態の透視が可能となり、特に大入賞口６４の開閉動作やフィーバー状態で大入賞口６４に多量に流れ込むセーフ球の詰り等のチェックが容易に行える。また主制御基板９１の遊技板への装着も可能となり、その取付構造も簡単な構成により簡略化できることになる。
【００７９】
本発明は上記した実施の形態に何ら限定されるものではなく、本発明の趣旨を逸脱しない範囲で種々の改変が可能であることは勿論のことである。例えば、上記実施形態では制御基板の動作異常を表示するエラー表示部とそのリセットボタンを賞品球払出制御基板に付設したことを説明したが、それ以外の制御基板に同様にエラー表示部とリセットボタンを設け、それを基板収納ボックスの凹窪み内に設けるようにしてもよい。
【図面の簡単な説明】
【００８０】
【図１】本発明の一実施形態におけるパチンコ遊技機の正面図である。
【図２】その外観斜視図である。
【図３】遊技盤面の拡大正面図である。
【図４】このパチンコ遊技機の裏面図である。
【図５】その外観斜視図である。
【図６】遊技盤の裏面に設けられる入賞球（セーフ球）の流出経路を説明する図である。
【図７】このパチンコ遊技機における賞球払出機構及びセーフ球排出機構における遊技球（賞球、セーフ球）の流出経路を示した図である。
【図８】図７に示した賞品球払出機構部の詳細を示した分解斜視図である。
【図９】図７に示したセーフ球排出機構部の詳細を示した拡大断面図である。
【図１０】本発明の賞品球払出誘導構造を示した分解斜視図である。
【図１１】遊技盤裏面の筐体内部における各種制御基板の配置関係を示した図である。
【図１２】このパチンコ遊技機における制御プロック図である。
【図１３】図柄表示ユニットの裏面に設けられる制御基板の取付構造を示した外観斜視図である。
【図１４】図１３に示した制御基板取付構造を断面で示した図である。
【図１５】遊技機本体の裏面に設けられる主基板の取付構造を示した外観斜視図である。
【符号の説明】
【００８１】
１０  パチンコ遊技機
５０  特別図柄表示装置
６０  普通図柄表示装置
８０  賞品球払出機構部
８８  ＣＲ賞球払出制御基板
９１  主制御基板
９３  エラー表示部
９４  エラー表示リセットボタン
Ｃ  窪み
【図１】
2005279314.tif 000003
【図２】
2005279314.tif 000004
【図３】
2005279314.tif 000005
【図４】
2005279314.tif 000006
【図５】
2005279314.tif 000007
【図６】
2005279314.tif 000008
【図７】
2005279314.tif 000009
【図８】
2005279314.tif 000010
【図９】
2005279314.tif 000011
【図１０】
2005279314.tif 000012
【図１１】
2005279314.tif 000013
【図１２】
2005279314.tif 000014
【図１３】
2005279314.tif 000015
【図１４】
2005279314.tif 000016
【図１５】
2005279314.tif 000017